(57)【要約】【課題】付勢部材の付勢力により閉じた状態を維持するカバーの操作性を向上させる。【解決手段】閉鎖位置、閉鎖位置から摺動した中間位置、および、中間位置から回動して収容部を開放する開放位置に移動可能な蓋部材と、蓋部材を回動可能に支持する軸部材と、閉鎖位置で軸部材に当接する当接部を有して蓋部材が回動する場合に摺動を規制する規制部材とを備え、蓋部材が閉鎖位置にあり操作部材が操作されない場合は、当接部は軸部材に当接し、蓋部材が閉鎖位置にあり操作部材が操作された場合は、当接部は軸部材への当接を解除される。【選択図】図４
2012215667.tif 000002
【特許請求の範囲】
【請求項１】
撮像装置の本体に着脱する部品を収容する収容部を覆う閉鎖位置、前記閉鎖位置から摺動した中間位置、および、前記中間位置から回動して前記収容部を開放する開放位置、に移動可能な蓋部材と、
前記蓋部材を前記本体に対して回動可能に支持する軸部材と、
前記蓋部材が前記閉鎖位置にある場合に前記軸部材に当接する当接部を有し、前記蓋部材が前記中間位置から前記開放位置へ回動する場合に前記蓋部材の摺動を規制する規制部材と、
前記規制部材を操作する操作部材と
を備え、
前記蓋部材が前記閉鎖位置にあり、且つ、前記操作部材が操作されない場合は、前記当接部は前記軸部材に当接して、前記蓋部材が前記中間位置へ摺動することを規制し、
前記蓋部材が前記閉鎖位置にあり、且つ、前記操作部材が操作された場合は、前記当接部は前記軸部材への当接を解除され、前記蓋部材の前記中間位置へ摺動を許容する
撮像装置。
【請求項２】
前記当接部は、前記蓋部材の摺動を規制する場合に、前記蓋部材の移動方向と並行な前記軸部材の直径の延長線と交差する当接面を有し、
前記操作部は、操作された場合に、前記当接面が前記直径の延長線と交差しなくなるまで前記当接部を退避させる
請求項１に記載の撮像装置。
【請求項３】
前記操作部は、前記蓋部を開放位置に移動させるべく操作された場合に、前記収容部に収容された部品を排出する排出操作部を併せて操作する請求項１または請求項２に記載の撮像装置。
【発明の詳細な説明】
【技術分野】
【０００１】
本発明は、撮像装置に関する。
【背景技術】
【０００２】
閉じた場合に機器本体の表面と連続する表面をなして機器本体に収容された部品を覆い隠して、機器本体に沿って摺動させると回動可能になり開くことができるカバー装置がある（特許文献１を参照）。
【先行技術文献】
【特許文献】
【０００３】
【特許文献１】特開２００３−２１８５４９号公報
【発明の概要】
【発明が解決しようとする課題】
【０００４】
カバー装置は、弾性部材の付勢力により閉じた状態が維持される。また、当該付勢力に抗して摺動させることにより回動できるようになる。しかしながら、取り付けられた状態の付勢部材の付勢力には不可避なばらつきがあるので、閉じた状態の維持を確実にすることを条件に設計すると、開く場合の操作性が低下しがちであった。
【課題を解決するための手段】
【０００５】
そこで、上記課題を解決すべく、本発明の一態様として、撮像装置の本体に着脱する部品を収容する収容部を覆う閉鎖位置、閉鎖位置から摺動した中間位置、および、中間位置から回動して収容部を開放する開放位置、に移動可能な蓋部材と、蓋部材を本体に対して回動可能に支持する軸部材と、蓋部材が閉鎖位置にある場合に軸部材に当接する当接部を有し、蓋部材が中間位置から開放位置へ回動する場合に蓋部材の摺動を規制する規制部材と、規制部材を操作する操作部材とを備え、蓋部材が閉鎖位置にあり、且つ、操作部材が操作されない場合は、当接部は軸部材に当接して、蓋部材が中間位置へ摺動することを規制し、蓋部材が閉鎖位置にあり、且つ、操作部材が操作された場合は、当接部は軸部材への当接を解除され、蓋部材の中間位置へ摺動を許容する撮像装置が提供される。
【０００６】
上記の発明の概要は、本発明の必要な特徴の全てを列挙したものではない。また、これらの特徴群のサブコンビネーションも発明となり得る。
【図面の簡単な説明】
【０００７】
【図１】デジタル一眼レフカメラ１００の外観を示す斜視図である。
【図２】収容部２００周辺を拡大して示す斜視図である。
【図３】軸部２５０の周辺を透視して示す図である。
【図４】収容部２００の動作中の状態を示す断面図である。
【図５】収容部２００の動作中の状態を示す断面図である。
【図６】収容部２００の動作中の状態を示す断面図である。
【図７】収容部２００の動作中の状態を示す断面図である。
【図８】収容部２００の動作中の状態を示す断面図である。
【図９】収容部２００の動作中の状態を示す断面図である。
【図１０】収容部２００の動作中の状態を示す断面図である。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、デジタル一眼レフカメラ１００の外観を示す斜視図である。デジタル一眼レフカメラ１００は、カメラボディ１１０と、カメラボディ１１０に装着されたレンズユニット１２０を含む。
【００１０】
レンズユニット１２０は、複数のレンズにより形成された光学系を有して、被写体の画像を、カメラボディ１１０の内部に結像させる。レンズユニット１２０は、撮像対照、撮像条件等に応じて交換できる。
【００１１】
カメラボディ１１０は、ファインダ１３０、液晶表示部１４０および収容部２００を有する。また、カメラボディ１１０は、ダイヤル１５２、十字キー１５４、押しボタン１５６およびレリーズスイッチ１５８等の操作系を有する。
【００１２】
ファインダ１３０は、レンズユニット１２０が結んだ画像を、撮像前にユーザに見せる。これにより、撮像範囲、露光条件等を調整しながら撮像できる。
【００１３】
液晶表示部１４０は、撮像後の画像を表示させてユーザに確認させる。また、カメラボディ１１０の様々な設定、撮像条件等を表示する機能も有する。
【００１４】
ダイヤル１５２は、撮像モードの選択する場合に操作する。十字キー１５４は、液晶表示部１４０に表示されたメニュー等の項目を選択する他、露出補正、フラッシュ装置等のモード選択にも使用される。押しボタン１５６は、メニューの表示、液晶表示部１４０自体の表示モードの選択、露出補正モードに入ること、等の機能に対してそれぞれ割り当てられる。
レリーズスイッチ１５８も、形式としては押しボタン型のスイッチであり、例えば、僅かにお押し込まれた半押し状態と、深く押し込まれた全押し状態との２つのスイッチを含む。これにより、レリーズスイッチ１５８の半押しにより、測光、合焦等が実行され、全押しにより画像が記録される。
【００１５】
更に、カメラボディ１１０の側面には、収容部２００が配される。収容部２００は、蓋部２１０および枠部２２０を含み、全体として、カメラボディ１１０の表面と連続した表面を有する。
【００１６】
蓋部２１０は、後述するように開閉して、記録媒体を収容するカードスロットを露出させることができる。枠部２２０は、カメラボディ１１０に対して固定され、蓋部２１０を支持する。
【００１７】
図２は、収容部２００を拡大して示す。図２において、蓋部２１０は、枠部２２０に対して回動して開いた開放位置にある。
【００１８】
蓋部２１０は、閉じた場合の内側に、一体に形成された係止爪２１２およびリブ２１４を有する。係止爪２１２は、後述するように蓋部２１０を摺動させた場合の摺動方向に延在する。リブ２１４は、蓋部２１０の両側部に配され、蓋部２１０の曲げ剛性を向上させる。
【００１９】
図中で蓋部２１０の下端近傍に位置するリブ２１４の下端近傍には、長穴２１６が配される。長穴２１６には軸部２５０が挿通される。軸部２５０の両端は、枠部２２０に固定される。これにより、蓋部２１０は、枠部２２０に対して摺動可能になる。また、軸部２５０が長穴２１６の下端に位置する場合、蓋部２１０は枠部２２０に対して回動可能になる。
【００２０】
蓋部２１０の内面には、板バネ２３０が装着される。板バネ２３０は、図中の上端近傍において、ネジ２３２により蓋部２１０に固定される。板バネ２３０は、蓋部２１０の裏面に対向する面において軸部２５０に接して、板バネ２３０を蓋部２１０の裏面に向かって付勢する。また、板バネ２３０の一部は屈曲して、第一摺動係止部２３４および第二摺動係止部２３６を形成する。
【００２１】
更に、板バネ２３０の一部は、側方に延在して、押圧部２３８を形成する。押圧部２３８の機能については後述する。
【００２２】
なお、軸部２５０は、捩じりバネ２４０のコイル部２４４にも挿通される。捩じりバネ２４０の開放端２４６は、枠部２２０に固定される。捩じりバネ２４０のループ端２４２は、蓋部２１０の裏面に当接して、蓋部２１０を開放位置に向かって付勢する。
【００２３】
枠部２２０は、蓋部２１０と相補的な形状を有する開口２２１を有する。開口２２１において、図中の手前側には一対の係止環２２２が配される。係止環２２２は、蓋部２１０の係止爪２１２と係合して、閉鎖位置にある蓋部２１０の回動を規制する。
【００２４】
また、開口２２１の内側には環状のシール部材２２４が配される。シール部材２２４は、蓋部２１０が閉じられた場合に蓋部２１０および枠部２２０の間を気密に封止して、塵芥、液滴等が収容部２００の内部に侵入することを防止する。
【００２５】
更に、開口２２１において、シール部材２２４の更に内側には、カードスロット２２６と取り出しボタン２２８とが配される。カードスロット２２６は、ＣＦカード、ＳＤカード等と呼ばれる不揮発性記憶媒体を挿入されて収容する。
【００２６】
ユーザが取り出しボタン２２８を押し下げることにより、カードスロット２２６に挿入された記録媒体が押し上げられ、取り出しが容易になる。なお、不揮発性記録媒体の規格によっては、取り出しボタン２２８が省略され、媒体そのものを押すことにより取り出し可能になる仕様もある。
【００２７】
図３は、蓋部２１０が閉じて閉鎖位置にある状態の収容部２００を、蓋部２１０の一部を透視して示す図である。図示のように、蓋部２１０の略中央には、解除ボタン２６０が配される。解除ボタン２６０は、蓋部２１０の外側から押し込まれた場合に、板バネ２３０を押す。
【００２８】
また、板バネ２３０から側方に延在する押圧部２３８は、取り出しボタン２２８の上方に位置する。これにより、解除ボタン２６０が押されて板バネ２３０が押し下げられた場合に、取り出しボタン２２８を押し下げる。
【００２９】
図４は、収容部２００の縦断面図である。図示の状態では、蓋部２１０が閉鎖位置にある。蓋部２１０が閉鎖位置にある場合、蓋部２１０の表面は、枠部２２０の表面と連続して、枠部２２０の開口を閉鎖する。
【００３０】
板バネ２３０は、ネジ２３２により蓋部２１０の裏面に一端を固定される。板バネ２３０の他端は、それ自体の弾性により、蓋部２１０に向かって付勢される。このとき、軸部２５０は、板バネ２３０の第一摺動係止部２３４に入り込んでいる。
【００３１】
第一摺動係止部２３４は、板バネ２３０の主要部に対して略直角な一対の側壁を有する。第一摺動係止部２３４の一方の側壁（図中の右側）は、略垂直に起立して軸部２５０に側方から当接する。また、側壁は、軸部２５０の水平な径よりも上方まで延在するので、蓋部２１０が軸部２５０に対して側方（図中の左方）に摺動することを確実に係止する。
【００３２】
図示は省いたが、蓋部２１０が閉鎖位置にある場合、係止爪２１２は、係止環２２２に嵌まり込んでいる。これにより、蓋部２１０が軸部２５０の回りに回動することが防止される。
【００３３】
板バネ２３０と一体的に形成された押圧部２３８は、板バネ２３０から下方に向かって突出するが、蓋部２１０が閉鎖位置にある場合は、どこにも当接していない。また、枠部２２０側からは、取り出しボタン２２８が上方に突出するが、取り出しボタン２２８もどこにも接していない。
【００３４】
蓋部２１０に配された解除ボタン２６０は、弾性部材２６２を介して蓋部２１０から支持される。解除ボタン２６０の下端は、板バネ２３０の上面に当接している。なお、弾性部材２６２は、解除ボタン２６０および蓋部２１０の間隙を液密に封止する防滴シールを兼ねる。また、図示は省いたが、蓋部２１０が閉鎖位置にある場合、捩じりバネ２４０が蓋部２１０を付勢しているので、蓋部２１０にガタが生じることはない。
【００３５】
図５は、図４に対照して収容部２００の状態を示す断面図である。図示の状態では、蓋部２１０は、依然として閉鎖位置にある。ただし、解除ボタン２６０が図中の矢印Ａの方向に押し込まれている点において、図４に示す状態と異なる。
【００３６】
押し込まれた解除ボタン２６０の下端は、板バネ２３０に当接して、板バネ２３０を下方に押し下げる。板バネ２３０の一端は蓋部２１０に固定されているので、板バネの他端（図中の右側）は降下して蓋部２１０から大きく離間する。
【００３７】
板バネ２３０が効果した場合、第一摺動係止部２３４も降下するので、軸部２５０は、第一摺動係止部２３４から抜け出す。これにより、蓋部２１０を、図中に矢印Ａで示す方向に摺動することができる状態になる。なお、第一摺動係止部２３４の側壁が軸部２５０よりも低くならなくても、軸部２５０の水平な径よりも低い位置まで降下すれば、蓋部２１０を摺動させることができる。
【００３８】
また、板バネ２３０と共に、押圧部２３８も降下しているが、依然としてどこにも接していない。ただし、押圧部２３８の下端は、取り出しボタン２２８の上端よりも低い位置まで降下している。
【００３９】
図６は、図５に対照して収容部２００の状態を示す断面図である。図示の状態では、蓋部２１０が側方（図中の左方）に摺動して中間位置にある。また、解除ボタン２６０は、依然として押し込まれた状態が維持される。
【００４０】
解除ボタン２６０が押し込まれた状態で蓋部２１０が摺動すると、押圧部２３８が、取り出しボタン２２８に当接して、蓋部２１０の移動と共に取り出しボタン２２８を押し込む。これにより、カードスロット２２６から記憶媒体を取り出し得る状態になる。ただし、蓋部２１０は未だ開いていないので、ユーザが記憶媒体を取り出すことはできない。
【００４１】
また、図示は省いたが、蓋部２１０が摺動した場合、係止爪２１２が係止環２２２から抜け出す。これにより、蓋部２１０は、軸部２５０の回りに回動できる状態になる。従って、ユーザが、解除ボタン２６０および蓋部２１０を押さえる力を弱めると、捩じりバネ２４０に付勢された蓋部２１０は自ずから開く。
【００４２】
図７は、図６に対照して収容部２００の状態を示す断面図である。図示の状態では、開いた蓋部２１０が開放位置にある。
【００４３】
前述のように、中間位置にある蓋部２１０は、軸部２５０の回りに可動可能になる。従って、捩じりバネ２４０の付勢により、図中の矢印Ｄで示すように、蓋部２１０は開放位置に向かって回動する。
【００４４】
また、解除ボタン２６０が開放されて弾性部材２６２により押し戻されると、板バネ２３０は、再び蓋部２１０の裏面に向かって付勢される。これにより、板バネ２３０の下端に配された第二摺動係止部２３６が軸部２５０に当接する。これにより、蓋部２１０の軸部２５０に対する相対位置が位置決めされる。
【００４５】
こうして蓋部２１０が開放位置に回動すると、収容部２００の内部が露出して、カードスロット２２６に対する記録媒体の挿抜ができる。前述のように、取り出しボタン２２８は、押圧部２３８により既に押し込まれているので、ユーザは、少ない手順で記憶媒体を取り出すことができる。
【００４６】
図８は、図７に対照して収容部２００の状態を示す断面図である。図示の状態は、いったん開放位置にあった蓋部２１０が回動して、再び中間位置に戻った状態を示す。
【００４７】
このとき、蓋部２１０は、第二摺動係止部２３６に当接した軸部２５０を中心として、開放位置から中間位置へ回動する。この中間位置から、図中の矢印Ｅの方向に蓋部２１０を摺動させることにより、蓋部２１０は、当初の閉鎖位置に復帰させることができる。
【００４８】
また、解除ボタン２６０は、弾性部材２６２の付勢力により当初の位置まで上昇しているので、板バネ２３０は、蓋部２１０の裏面に向かって上昇している。これにより、押圧部２３８も上昇しているので、押圧部２３８と取り出しボタン２２８とが、蓋部２１０の摺動を妨げることはない。
【００４９】
図９は、図８に対照して収容部２００の状態を示す断面図である。図９は、蓋部２１０が中間位置から閉鎖位置まで復帰する過程を示す図である。
【００５０】
第二摺動係止部２３６は、軸部２５０に対して円弧状の斜面で当接する。従って、蓋部２１０が摺動する過程で、軸部２５０は第二摺動係止部２３６から容易に抜け出す。しかしながら、解除ボタン２６０を押し込んだ場合のように板バネ２３０が大きく降下することはないので、押圧部２３８と取り出しボタン２２８が干渉することはない。
【００５１】
図１０は、図９に対照して収容部２００の状態を示す断面図である。図１０は、蓋部２１０が中間位置から閉鎖位置まで復帰する過程で、解除ボタン２６０が押し込まれた場合を示す図である。
【００５２】
図示のように、蓋部２１０が中間位置から閉鎖位置に復帰する過程で解除ボタン２６０が押し込まれると、板バネ２３０の一端（図中の右端）が大きく降下する。降下する板バネ２３０に従って、押圧部２３８も大きく降下するので、その状態で蓋部２１０が摺動すると、押圧部２３８および取り出しボタン２２８が相互に干渉する。これにより、蓋部２１０を摺動させることができなくなるので、誤って解除ボタン２６０を押し込んでいる状態に対して、ユーザの注意を喚起できる。
【００５３】
このように、収容部２００は、蓋部２１０を摺動させる場合に蓋部２１０と共に解除ボタン２６０を押さえつける自然な操作により解除ボタン２６０を操作して、蓋部２１０の開放を容易かつ確実にしている。また、第一摺動係止部２３４は、板バネ２３０の付勢力に依存することなく軸部２５０の変位を規制するので、蓋部２１０を閉鎖位置に確実に保持できる。
【００５４】
なお、記録媒体の収容部２００を例に挙げて説明したが、上記収容部２００に対する収容物が記録媒体に限られるわけではない。例えば、電池、接続端子等を、収容部２００に収容してもよい。
【００５５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５６】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を、後の処理で用いる場合でない限り、任意の順序で実現しうることに留意されたい。特許請求の範囲、明細書、および図面中の動作フローに関して、便宜上「まず、」、「次に、」等を用いて説明したとしても、この順で実施することが必須であることを意味するものではない。
【符号の説明】
【００５７】
１００  デジタル一眼レフカメラ、１１０  カメラボディ、１２０  レンズユニット、１３０  ファインダ、１４０  液晶表示部、１５２  ダイヤル、１５４  十字キー、１５６  押しボタン、１５８  リーズスイッチ、２００  収容部、２１０  蓋部、２１２  係止爪、２１４  リブ、２１６  長穴、２２０  枠部、２２１  開口、２２２  係止環、２２４  シール部材、２２６  カードスロット、２２８  取り出しボタン、２３０  板バネ、２３２  ネジ、２３４  第一摺動係止部、２３６  第二摺動係止部、２３８  押圧部、２４０  捩じりバネ、２４２  ループ端、２４４  コイル部、２４６  開放端、２５０  軸部、２６０  解除ボタン、２６２  弾性部材
【図１】
2012215667.tif 000003
【図２】
2012215667.tif 000004
【図３】
2012215667.tif 000005
【図４】
2012215667.tif 000006
【図５】
2012215667.tif 000007
【図６】
2012215667.tif 000008
【図７】
2012215667.tif 000009
【図８】
2012215667.tif 000010
【図９】
2012215667.tif 000011
【図１０】
2012215667.tif 000012